(57)【特許請求の範囲】
【請求項１】
前面と、後面と、四つの側面とからなり、該四つの側面により胴部を形成してなる略直方体形状の箱体と、該箱体内に配置された可撓性フィルムからなる内袋と、前記箱体の前記前面に前記箱体と前記内袋とを貫通して固定された注出口とを備えた内袋付き箱型容器において、前記箱体の胴部の略中央部に該胴部を周回する帯状の破断部を設け、該破断部の裏面と注出口固定パネルの孔の周辺部分とで前記内袋を接着固定したことを特徴とする内袋付き箱型容器。
【請求項２】
破断部をジッパーで構成したことを特徴とする請求項１に記載の内袋付き箱型容器。
【発明の詳細な説明】
【０００１】
【産業上の利用分野】
本発明は、液体や粉体などを収納する袋を箱体に内蔵させてなる形態の内袋付き箱型容器に関するものであり、詳しくは、使用後、箱体と内袋とを分別することができる内袋付き箱型容器に関するものである。
【０００２】
【従来の技術】
従来、この種の内袋付き箱型容器（バッグインカートン）としては、板紙製の箱体とプラスチックフィルム製の内袋とから構成されたものが一般的である。このような内袋付き箱型容器のうち例えばインキなどの粘性内容物用の内袋付き箱型容器では、前記箱体の一つの面に、内袋に連通するように注出口が取り付けられており、前記内袋は注出口を取り付けた部分を含むほぼ半分以上の領域が箱体内面で拘束されるように、箱体の内面に貼り付けられており、残りの部分は自由に移動可能となっている。
ブランク板に筒状の内袋を所定箇所で貼着したものを角筒状に組み立てた後、孔開けと注出口取付けを行ってから内袋の上下端縁をシールして密閉し、箱体の上下を折り畳んでホットメルト製函することで組み立てられている。
【０００３】
【発明が解決しようとする課題】
上記のように、従来の内袋付き箱型容器は、内袋が箱体の内面に広い範囲で貼り付けられた状態で箱体がしっかりと製函されているので分解するのが難しく、このため箱体と内袋との分別が非常に難しく、内容物を使用した後で消費者が実際に分解して両者を分別することは実際上困難である。また、最近では環境問題等の観点から燃えるゴミと燃えないゴミを分別することが望まれており、このような従来の内袋付き箱型容器には、紙である箱体とプラスチックである内袋を分別することが困難であるという問題点がある。
【０００４】
本発明は、上記のような問題点に鑑みてなされたものであり、その目的とするところは、箱体と内袋とを完全に分別することのできる内袋付き箱型容器を提供することにある。
【０００５】
【課題を解決するための手段】
上記の目的を達成するために、本発明は、前面と、後面と、四つの側面とからなり、該四つの側面により胴部を形成してなる略直方体形状の箱体と、該箱体内に配置された可撓性フィルムからなる内袋と、前記箱体の前記前面に前記箱体と前記内袋とを貫通して固定された注出口とを備えた内袋付き箱型容器において、前記箱体の胴部の略中央部に該胴部を周回する帯状の破断部を設け、該破断部の裏面と注出口固定パネルの孔の周辺部分とで前記内袋を接着固定したことを特徴とする内袋付き箱型容器である。
【０００６】
そして、上記の破断部をジッパーで構成することが好ましいものである。
【０００７】
本発明によれば、帯状の破断部が胴部を周回して破断されることにより箱体が二つに分断されると同時に、注出口を取付けた面以外の部分において、箱体と内袋とが分離され、そして、注出口を取付けた面における箱体と内袋との貼着部分を引き剥がすことにより箱体と内袋とを完全に分別することができる内袋付き箱型容器を得ることができる。
【０００８】
【発明の実施の形態】
以下、本発明の内袋付き箱型容器の実施の形態について図面に基づいて詳細に説明する。
【０００９】
図１は本発明に係る内袋付き箱型容器の実施の形態の一実施例を示す斜視図である。図に示すように、本発明の内袋付き箱型容器（例えばインキ容器）１は、四つの側面１１、１２、１３、１４と、前面１５と、後面１６とからなる略直方体状の箱体２と、箱体２内に配置され内容物を収納する可撓性フィルムからなる内袋３とを備えている。
【００１０】
箱体２の前面１５は、注出口４を取付ける面となっており、この前面１５では、前面１５と内袋３とを貫通して注出口４が取付けられている。この場合、注出口４は前面１５の中央部から前面１５と側面１３との罫線ｇに寄った部分に取付けられている。また注出口４の先端には、図２に示すようにキャップ５が着脱自在に取付けられている。さらに箱体２の側面１３は、基底面となっている。
【００１１】
また、注出口４を取付ける面である前面１５は、内パネル１５ａ、外パネル１５ｂ、注出口固定パネル１５ｃ、外パネル１５ｄの四つのパネルから構成されており、このうち外パネル１５ｂと外パネル１５ｄとは前面１５を２分割する形状であり、注出口４は注出口固定パネル１５ｃを貫通するとともに、この注出口固定パネル１５ｃに固着されており、そして、内パネル１５ａ、外パネル１５ｂおよび外パネル１５ｄには注出口４が通る切欠け１５ａ′、切欠け１５ｂ′および切欠け１５ｄ′（図３に示す）が設けられている。
【００１２】
また、注出口４はプラスチックを射出成形してなるネジ式キャップ５を螺合する注出口本体４ａと基部フランジ４ｂとからなり、該基部フランジ４ｂの表側を内袋３に形成された孔の周辺で内袋３の内面に溶着された状態となっている。さらに、箱体２の胴部にはこれを周回するようにして帯状の破断部６が形成されている。
【００１３】
つぎに、各部の材料について述べる。箱体２は、コートボール紙または段ボール紙等の厚紙からなっている。
【００１４】
また、内袋３はプラスチックフィルム単体あるいは複数のプラスチックフィルムおよび他の材料を積層した積層体から作製され、特にその種類については限定されるものではない。いくつかの例をあげるとつぎのような層構成となる。
ＳｉＯｘ蒸着ポリエチレンテレフタレート／延伸ナイロン／Ｌ−低密度ポリエチレン
延伸ナイロン／ポリエチレン
Ｋナイロン／Ｌ−低密度ポリエチレン
【００１５】
さらに注出口４およびキャップ５は、Ｌ−低密度ポリエチレン、低密度ポリエチレン、中密度ポリエチレン、高密度ポリエチレン、またはポリプロピレン等から作成することができる。
【００１６】
図３は箱体２を形成するブランク板の内面側を示す展開図である。このブランク板１０は、表側に印刷等が施された原反を図のような形状に打ち抜いて作成されたもので、同図に示すように、罫線ａ、ｂ、ｃ、ｄを介して側板１１、側板１２、側板１３、側板１４および糊代片１７を順次連設し、各側板１１〜１４の左方に罫線ｅ、ｆ、ｇ、ｈを介して内パネル１５ａ、外パネル１５ｂ、注出口固定パネル１５ｃおよび外パネル１５ｄを連設し、各側板１１〜１４の右方に罫線ｉ、ｊ、ｋ、ｌを介して内パネル１６ａ、折り込みパネル１６ｂ、外パネル１６ｃおよび折り込みパネル１６ｄを連設した形状となっている。注出口固定パネル１５ｃには、注出口４を嵌め込む孔７があけられ、そして、内パネル１５ａ、外パネル１５ｂおよび外パネル１５ｄには注出口４が通る切欠け１５ａ′、切欠け１５ｂ′および切欠け１５ｄ′を設けている。
【００１７】
また、側板１１、側板１２、側板１３、側板１４および糊代片１７を真っ直ぐに横断する状態で破断可能な帯状の破断部６が形成されている。この破断部６はジッパー形状とし、幅を５〜５０ｍｍの範囲とすることができるが、１５〜２５ｍｍの範囲が好ましい。破断部６の幅が、５ｍｍより狭いと途中で切れ易くなり、５０ｍｍより広いと切り取りにくくなる。
【００１８】
本発明の内袋付き箱型容器（例えばインキ容器）１の製造方法について述べる。まず、図４に示すように、可撓性フィルムを背シールして両端が開口した筒状に折り畳まれた内袋３をカートン１のブランク１０の内面に接着剤Ｇを用いて貼り合わせる。ブランク１０における領域８は、接着剤Ｇを塗布する領域であり、破断部６の部分と注出口固定パネル１５ｃの孔７の周辺部分である。そして、糊代片１７と側面１１を接着剤で貼り合わせて、図５に示すように、筒状の折り畳まれた状態の内袋付き箱型容器１とする。
なお、従来の内袋付き箱型容器では、接着剤Ｇを塗布する領域が各側板の注出口側の略半分として吸引量を安定させているが、本発明の内袋付き箱型容器１においても、接着剤Ｇを塗布する領域８を破断部６の部分と注出口固定パネル１５ｃの孔７の周辺部分にすることによって、従来の容器と同様に、インキが吸引されても閉塞されることなく安定させる機能を有している。
【００１９】
つぎに、この筒状の折り畳まれた状態の内袋付き箱型容器１を起こして四角形の筒状に成形し、注出口固定パネル１５ｃおよび内袋３に注出口４用の孔７を設け、この孔７に注出口４を超音波シールにより取付ける。この場合、注出口４のフランジ４ｃを、内袋３に溶着させる。
【００２０】
つぎに、折り畳まれた内袋３の両端部をシールしてシール部３ａを形成することにより、密封性のある内袋３を形成することができる。この場合、上述のように注出口４は、前面１５の中央部から前面１５と側面１３との罫線ｇに寄った部分に取付けられているので、側面１３から延びる注出口固定パネル１５ｃの高さを小さくして内袋３のシールを容易に行なうことができる。
【００２１】
つぎに、四角筒状の両端部が密閉されてカートン２において、図６に示すように、側面１３から延びるとともに注出口４が取付けられた注出口固定パネル１５ｃを折畳み、ついで側面１１から延びる内パネル１５ａを折畳んで注出口固定パネル１５ｃに内パネル１５ａを接着する。この際、シール部３ａの形成時に生じる内袋３の一対の三角部３ｂが注出口固定パネル１５ｃと内パネル１５ａの外方へはみ出している。また内パネル１５ａの切欠け１５ａ′により、内パネル１５ａは注出口４に当接しないようになっている。
【００２２】
つぎに、側面１２、１４から延びる外パネル１５ｂ、１５ｄ、内パネル１５ａ、注出口固定パネル１５ｃから外方へはみ出す内袋３の三角部３ｂを折畳んで内パネル１５ａに外パネル１５ｂ、１５ｄを接着剤Ｇで接着する。この際、外パネル１５ｂ、外パネル１５ｄの切欠け１５ｂ′、１５ｄ′により、外パネル１５ｂ、外パネル１５ｄは注出口４に当接しないようになっている。このようにして、図１に示すように、前面１５が堅固に構成されている本発明の内袋付き箱型容器１を完成することができる。
【００２３】
なお、内袋３のうち注出口固定パネル１５ｃと内パネル１５ａの外方へはみ出した三角部３ｂは外パネル１５ｂ、１５ｄとともに折畳まれて注出口固定パネル１５ｃと内パネル１５ａと外パネル１５ｂ、１５ｄとの間に挟持されるので、この三角部３ｂ内に内袋３内の内容物（例えばインキ）が流入することはない。
【００２４】
この場合、後面１６の組立ては、折り込みパネル１６ｂ、折り込みパネル１６ｄを内折りし、その上から内パネル１６ａ、外パネル１６ｃの順に折り畳み、外パネル１６ｃの内側を内パネル１６ａの外側と折り込みパネル１６ｂ、１６ｄにホットメルト接着して行う。
【００２５】
上述のようにして形成された内袋付き箱型容器１は、図１に示すように、箱体２の胴部を周回するようにして帯状の破断部６が形成されたものとなる。したがって、使用済となった内袋付き箱型容器１は、爪等で帯状の破断部６の端部を摘み引っ張ることで帯状の破断部６を切り取ることができる。この時、帯状の破断部６の裏の部分と接着した内袋３とが剥離して分離する。この剥離は、接着層での剥離でも、破断部６の紙層の層間剥離であっても、帯状の破断部６を切り取ることができればよい。このように帯状の破断部６を切り取ることによって、図７に示すように、箱体２が前面１５側の部分と後面１６側の部分の二つに分断される。この場合、内袋３の注出口４と反対側の部分は注出口４側に入り込んだ状態で、箱体２の胴部では、箱体２と内袋３とは分離しているが、内袋３は注出口４と共に前面１５に接着固定されているため、内袋３は箱体２の前面１５側の部分に付いた状態となっている。
【００２６】
ついで、図８に示すように、前面１５において外パネル１５ｂ、１５ｄ、内パネル１５ａの順に剥がすことにより、注出口４を取り外しやすくなり、内袋３を前面１５側の部分から引っ張って引き剥がすことにより、内袋３が注出口４ごと箱体２から離れ、紙からなる箱体２とプラスチックからなる内袋３とを完全に分離することができる。
【００２７】
なお、上記の実施例では、胴部を周回する破断部６をジッパーとしたが、別の形態としては、一定の幅で引き裂けるミシン目としても構わないものである。
【００２８】
上記に述べたように破断部６をジッパーやミシン目で構成する場合、ブランク板１０を原反から打ち抜く時に同時に形成できるので、現行の内袋付き箱型容器１の仕様を殆ど変えることなく本発明の内袋付き箱型容器１を作成することができる。
【００２９】
【発明の効果】
以上説明したように、本発明の内袋付き箱型容器は、箱体の胴部に該胴部を周回する破断部を設けた構成としたので、使用済の容器を破断部で分断して紙製の箱体とプラスチックフィルム製の内袋とを簡単に分別することができる。したがって、ゴミの分別廃棄に有効に対処し得るものを提供することができる。
【図面の簡単な説明】
【図１】本発明に係る内袋付き箱型容器の一実施例を示す斜視図である。
【図２】本発明に係る内袋付き箱型容器の一実施例を示す縦断面図である。
【図３】箱体を形成するブランク板の内面側を示す展開図である。
【図４】内袋を貼着するための接着剤を塗布した状態のブランク板の内面側を示す展開図である。
【図５】本発明に係る内袋付き箱型容器の折り畳まれた状態を示す平面図である。
【図６】本発明に係る内袋付き箱型容器を組み立てる状態を示す斜視図である。
【図７】本発明に係る内袋付き箱型容器を破断部で分断した状態を示す斜視図である。
【図８】本発明に係る内袋付き箱型容器の分断された部分から内袋を剥がし取る状態を示す斜視図である。
【符号の説明】
１    内袋付き箱型容器
２    箱体
３    内袋
３ａ  シール部
３ｂ  三角部
４    注出口
４ａ  注出口本体
４ｂ  基部フランジ
５    キャップ
６    破断部
７    孔
８    接着剤を塗布する領域
１０    ブランク
１１    側面
１２    側面
１３    側面
１４    側面
１５    前面
１５ａ  内パネル
１５ｂ  外パネル
１５ｃ  注出口固定パネル
１５ｄ  外パネル
１６    後面
１６ａ  内パネル
１６ｂ  折り込みパネル
１６ｃ  外パネル
１６ｄ  折り込みパネル
Ｇ    接着剤
【図１】
0004357711.tif 000002
【図２】
0004357711.tif 000003
【図３】
0004357711.tif 000004
【図４】
0004357711.tif 000005
【図５】
0004357711.tif 000006
【図６】
0004357711.tif 000007
【図７】
0004357711.tif 000008
【図８】
0004357711.tif 000009